(57)【特許請求の範囲】
【請求項１】
電磁石の励磁状態の変化に応じて所定の反転動作をなす接極子と、固定接点に対して接離動作をなす可動接点を設け、該可動接点に流れる電流を分流させる分流板を重合させた可動バネと、一端は上記接極子に、かつ他端は上記可動バネに連結されて、上記接極子の反転動作に応じて、上記可動バネを切換え移動させて、上記可動接点を固定接点に対して接離させるカードとを備えた電磁リレーにおいて、
上記分流板を、上記カードの上記他端まで延長させて、上記可動バネとともに該カードに連結した構造にしている電磁リレー。
【請求項２】
請求項１において、
上記可動バネは、可動側の端子板に接合され、かつ上記可動側の端子板には、上記可動接点の上記固定接点に対する接離動作の途中において、上記可動バネを弾性変形させた状態で支持する感度調整支持片を有しており、
上記感度調整支持片は、上記可動接点の近傍まで延びたアーム部の先端に、上記可動バネを支持するための支持片を有した構造にしている電磁リレー。
【請求項３】
請求項２において、
上記可動バネは感度調整小片をさらに備えており、その部分を上記感度調整支持片に当接させて、支持される構造にしている電磁リレー。
【請求項４】
請求項２または３において、
上記感度調整支持片は、上記分流板の一部を挟むように上記可動バネを支持する構造にしている電磁リレー。
【請求項５】
請求項１〜４のいずれか１項において、
補強板をさらに備え、この補強板と上記可動バネとは、上記分流板を挟み込むようにして、上記可動接点によってカシメ接合されている電磁リレー。
【請求項６】
請求項１〜５のいずれか１項において、
上記固定接点は、固定側の端子板に接合された固定バネと、該固定バネに重合させた固定側補強板とに対するカシメ接合によって固着されている電磁リレー。
【発明の詳細な説明】
【技術分野】
【０００１】
本発明は、接極子の反転動作により可動バネを往復移動させて、固定接点と可動接点の接離切換え動作を行わせる電磁リレーの改良に関するものである。
【背景技術】
【０００２】
従来、この種の電磁リレーとして、たとえば特許文献１に示すものがある。このものは、接極子が電磁石の励磁状態の変化に応じて往復の反転回動動作をし、その動作によって、カードに連結された可動バネを往復移動させ、それによって固定接点と可動接点の接離切換え動作をなすものである。
【０００３】
従来のこの種の電磁リレー、特に６０アンペア程度の大容量を定格とする電磁リレーでは、接点および可動バネの接点近傍において、接点間の接離にともなうアークの発生によりアーク電流が可動バネに流れて発熱し、そのような発熱を繰り返すことが製品の劣化をまねく要因となっている。
【０００４】
従来では、そのような接点部の温度上昇を抑制するために、可動バネに分流板を重合させて、可動バネと分流板とのそれぞれに電流値の低減された電流を流すことで温度上昇の抑制を図った製品もが開発されている。
【特許文献１】２００１−１４３５９４号公報
【発明の開示】
【発明が解決しようとする課題】
【０００５】
図９は、従来の分流板を重合させた可動バネの概略動作説明図で、（ａ）は接点が開状態、（ｂ）は接点が閉状態を示している。
【０００６】
図中、１４１は可動側の端子板（不図示）に固定された可動バネ、１４２は可動バネ１４１にカシメ接合させた可動接点、１３２は固定接点、１３１は固定接点１３２を取着させた固定側の端子板、１４４は可動バネの裏側に可動バネ１４１とともに可動接点１４２をカシメ接合させた分流板、１６０は可動バネ１４１の先端を連結させたカードである。ここに、可動側の端子板は、通電路に接続される端子板のうち可動接点１４２を設けた可動バネ１４１に接合されている端子板であり、固定側の端子板１３１は、通電路に接続される端子板のうち固定接点１３２を設けた端子板である。
【０００７】
本図のように、電磁石（不図示）の励磁状態の変化に応じた接極子（不図示）の反転動作にもとづいてカード１６０がスライド移動をすることで、カード１６０に連結された可動バネ１４１が反転運動をするが、接点同士が接触した閉状態では、図９（ｂ）に示すように、可動バネ１４１の弾性変形により可動バネ１４１に重合された分流板１４４の先端が開くことがある。そのような往復運動を繰り返すと、可動バネ１４１がわずかに塑性変形して、開いたままになる可能性がある。
【０００８】
このような分流板１４４の先端と可動バネ１４１との隙間Ｓは、接点の接離動作にはほとんど悪影響を与えないが、接点が開離する瞬間にアークが発生してアーク電流が可動バネ１４１に流れると、その隙間によって電流が分流板１４４に十分に分流しなかったりすることがあり、温度上昇を抑制できないおそれがある。また、隙間ができることで分流板１４４に熱が伝わらず、分流板１４４による放熱効果も低減されるおそれがある。
【０００９】
本発明は、このような事情を考慮して提案されたもので、その目的は、温度上昇が抑制でき、放熱効果が高く、長期間の使用に耐え得る電磁リレーを提供することにある。
【課題を解決するための手段】
【００１０】
上記目的を達成するために、請求項１に記載の電磁リレーは、電磁石の励磁状態の変化に応じて所定の反転動作をなす接極子と、固定接点に対して接離動作をなす可動接点を設け、可動接点に流れる電流を分流させる分流板を重合させた可動バネと、一端は接極子に、かつ他端は可動バネに連結されて、接極子の反転動作に応じて、可動バネを切換え移動させて、可動接点を固定接点に対して接離させるカードとを備えた電磁リレーにおいて、分流板を、カードの他端まで延長させて、可動バネとともにカードに連結した構造にしている。
【００１１】
請求項２に記載の電磁リレーは、請求項１において、可動バネは、可動側の端子板に接合され、かつ可動側の端子板には、可動接点の固定接点に対する接離動作の途中において、可動バネを弾性変形させた状態で支持する感度調整支持片を有しており、感度調整支持片は、可動接点の近傍まで延びたアーム部の先端に、可動バネを支持するための支持片を有した構造にしている。
【００１２】
請求項３に記載の電磁リレーは、請求項２において、可動バネは感度調整小片をさらに備えており、その部分を感度調整支持片に当接させて、支持される構造にしている。
【００１３】
請求項４に記載の電磁リレーは、請求項２または３において、感度調整支持片は、分流板の一部を挟むように可動バネを支持する構造にしている。
【００１４】
請求項５に記載の電磁リレーは、請求項１〜４のいずれか１項において、補強板をさらに備え、この補強板と可動バネとは、分流板を挟み込むようにして、可動接点によってカシメ接合されている。
【００１５】
請求項６に記載の電磁リレーは、請求項１〜５のいずれか１項において、固定接点は、固定側の端子板に接合された固定バネと、固定バネに重合させた固定側補強板とに対するカシメ接合により固着されている。
【発明の効果】
【００１６】
請求項１に記載の電磁リレーによれば、可動バネと分流板とは、重合された状態でカードに連結されているため、可動バネが切換え往復移動の途中であっても、また可動バネが停止した状態であっても、可動バネと分流板とは密接状態を保持する。したがって、可動バネと分流板とは密接状態を保持することによって隙間が形成されることはないため、接点の開閉、特に可動接点が固定接点より開離しアーク電流が発生した瞬間には、電流は可動バネと分流板とにスムースに分かれて流れ、そのため分流板による温度上昇の抑制効果は低減されず、その結果、電磁リレーを長持ちさせることができる。また、可動バネの可動接点のカシメ部近傍がアーク電流によって発熱しても、可動バネに隙間なく密着させた分流板に熱を逃がして、十分に放熱させることができる。
【００１７】
請求項２に記載の電磁リレーによれば、可動側の端子板が、可動接点の近傍まで延びたアーム部の先端に可動バネを支持するための感度調整支持片を有した構造であるため、接点の開離保持状態で感度調整支持片が可動バネと接触することで、端子板にも電流が分流され、熱も逃がすことができる。
【００１８】
請求項３に記載の電磁リレーによれば、可動バネが感度調整支持片に当接、支持される感度調整小片を備えているため、感度調整と放熱効果とのバランスを微調整できる。
【００１９】
請求項４に記載の電磁リレーによれば、接点が開離して、感度調整支持片が可動バネを支持した状態では、可動バネとの間に分流板を挟み込むことで接点近傍からの熱を感度調整支持片に伝達させて、放熱させることができる。また、接点の開離保持状態では、感度調整支持片が分流板を押し付けて可動バネとの間に挟み込む状態が維持されるため、分流板の可動バネへの密接状態が保持できる。
【００２０】
請求項５に記載の電磁リレーによれば、可動バネとの間で分流板を挟み込む補強板をさらに備え、補強板が可動バネ、分流板とともに可動接点にカシメ接合された構造であるため、分流板の可動バネへの密接状態を強化できるうえ、カシメ部との接触面積が増加するため、放熱効果をさらに向上できる。
【００２１】
請求項６に記載の電磁リレーによれば、固定接点のカシメ接合により、固定側の端子板に接合された固定バネと、固定バネに重合させた固定側補強板とを密着させる構造であるため、固定バネに対する固定接点のカシメ接合を補強できるとともに、カシメ部との接触面積が増加するため、放熱効果を向上させることができる。また、固定接点は固定バネに固着されているため、可動接点との接触時には固定バネは弾性変形し、そのため、接触した後に接触ポイントが移動するため、開離する際には、その移動量分、溶着を引き剥がす力が増加する。その結果、電磁リレーの電気寿命を延ばすことができる。
【発明を実施するための最良の形態】
【００２２】
以下に、本発明の実施の形態について、添付図面とともに説明する。
【００２３】
図１は本発明の第１実施形態に係る電磁リレーの斜視図、図２は同電磁リレーで使用される可動接点バネブロックの斜視図、図３は接点間が開離した状態の同電磁リレーを示す正面図、図４は接点同士が接触した状態を示す同電磁リレーの正面図である。
【００２４】
図１に示す電磁リレーは、いわゆるラッチ型リレーであり、内部構造として大別すると、電磁石ブロックＡと、接極子ブロックＢと、固定接点ブロックＣと、可動接点バネブロックＤと、接極子ブロックＢと可動接点バネブロックＤをつなぐカード６０と、これら各ブロック、部品を内部に収納するボディ５０と、上記内部構造を覆い隠すように被せられるカバー（不図示）とを備えて構成される。なお、これらブロックを示す符号は、第１実施形態においては図１のみに示す。
【００２５】
なお、図１〜４に関する以下の説明において、方向を示す上下左右は、図３、４に示した図を基準とする。
【００２６】
電磁石ブロックＡは、磁性金属材料を略コ字形に形成して、コイルの励磁により磁極部となる折曲した両端部１１ａ、１１ａを有した継鉄１１と、樹脂製のコイルボビン１２と、このコイルボビン１２を介して、継鉄１１の両端部１１ａ間の中央部１１ｂ（図３、４に破線にて図示）に導線を巻回してなるコイル部１３と、コイルボビン１２に一体に固着され、コイル部１３の両端がそれぞれ接続（例えば半田接続）される一対のコイル端子１４とにより構成されている。
【００２７】
接極子ブロックＢは、接極子２１、永久磁石２２、補助継鉄２３およびヒンジバネ２４により構成されている。
【００２８】
永久磁石２２は、上下方向の長さが継鉄１１の両端部１１ａ、１１ａ間の長さよりも短い板状（図例では直方体）に形成され、右面側が継鉄１１の両端部１１ａ、１１ａよりも右方に若干突出するように配置される。また、永久磁石２２は、本電磁リレーの組立ての前後に、たとえば右面側がＳ極となり左面側がＮ極となるように配置される。
【００２９】
接極子２１は、永久磁石２２の右側に配置され、上下方向の長さが継鉄１１の両端部１１ａ、１１ａ間の長さよりも長い板状に形成されており、上端に突設された、カード６０と連結するための差込片２１ａと、左面中央に突設された支点突部（不図示）と、ヒンジバネ２４との固定用に形成され、右面における上下側にそれぞれ突設された一対の軸部２１ｂ、２１ｂ（図３、４に図示）とを有している。
【００３０】
補助継鉄２３は、永久磁石２２の左側に配置され、上下方向の長さが継鉄１１の両端部１１ａ、１１ａ間の長さとほぼ同じか、それよりも若干短い長さの板状に形成され、端部（図１の上部側）の上下方向の中央位置より永久磁石２２側へ延びる折曲アーム片２３ａを備えている。この折曲アーム片２３ａには、ヒンジバネ２４と係合するための小突起２３ｂが突設されている。
【００３１】
ヒンジバネ２４は、永久磁石２２、接極子２１および補助継鉄２３を一体に固定するもので、弾性を有する薄手の金属板により形成されており、補助継鉄２３の折曲アーム片２３ａに形成された小突起２３ｂに係合する係止孔２４ｂを有した本体片２４ａと、この本体片２４ａより接極子２１の右面側に折曲されて接極子２１の一対の軸部２１ｂと固定される折曲片２４ｃとを有している。
【００３２】
このヒンジバネ２４は、本体片２４ａが固定され、折曲片２４ｃで一対の軸部２１ｂと固定することで、折曲片２４ｃの弾性復帰力が、常に接極子２１を垂直に保持するように作用する。
【００３３】
固定接点ブロックＣは、導電性金属板を屈曲してなる固定側の端子板３１（以下、固定端子板という。）と、この固定端子板３１の上部に左方を向いてカシメ接合により固着される導電性金属製の固定接点３２とにより構成されている。なお、固定端子板３１は、図１に示すように、一部に開口孔３１ａが形成されて、弾性をもたせている。
【００３４】
可動接点バネブロックＤは、導電性金属板を屈曲してなる可動側の端子板４３（以下、可動端子板という。）と、この可動端子板４３の上端でリベットにてカシメ接合される導電性金属製の可動バネ４１と、この可動バネ４１の、固定接点３２に対向する位置にカシメ接合して取着される金属製の可動接点４２（図３、４参照）と、この可動バネ４１とともに可動接点４２にカシメ接合されて可動バネ４１の左方側に密接重合され、下端が可動バネ４１とともに可動端子板４３に接合される、導電性金属製の分流板４４とにより構成されている。
【００３５】
この分流板４４は、図２に示すように、可動接点４２とカシメ接合して可動バネ４１と重合された重合部４４ｂと、可動端子板４３に接合、固定された固定部４４ｄとをつなぐ箇所に、可動バネ４１と開離した状態に形成された湾曲部４４ｃを備えた構造となっている。
【００３６】
また、可動端子板４３は、可動バネ４１を固定した固定部４４ｄから可動接点４２の近傍まで、湾曲しながら上方に延びるアーム部４３ｂを備え、その先端には、可動接点４２が固定接点３２より開離したときに、弾性変形しながら移動する可動バネ４１と当接して可動バネ４１を左方より支持する感度調整支持片４３ａが形成されている。
【００３７】
可動バネ４１には、この感度調整支持片４３ａに対向するように、スリット切除部４１ｃをはさんで感度調整小片４１ｂが形成されている（図２参照）。これらの感度調整支持片４３ａ、感度調整小片４１ｂが、接点接離の感度を調整するための感度調整手段４７を構成している。
【００３８】
さらに、可動バネ４１の上端には、接極子２１の反転動作に応じてスライド移動する絶縁性のカード６０を介して、可動バネ４１の切換え往復動作ができるように、カード６０に連結するための差込片４１ａが突設されている。
【００３９】
また、分流板４４の上端にも、可動バネ４１に密接しながら延びる差込片４４ａが形成されている。後述するように、この分流板４４のカード６０との連結構造は、接点接離動作のための可動バネ４１の切換え往復移動において、可動バネ４１との密接状態を維持するためのものであるが、本例のような差込片４４ａを差込孔６２に差し入れることによる連結手段に限られず、カード６０の位置まで延びた分流板４４の端部を係止できるような連結手段であってもよい。
【００４０】
なお本例では、分流板４４の差込片４４ａは、図２に示すように可動バネ４１の差込片４１ａよりも幅狭とすることで、可動バネ４１の弾性率への影響を少なくしているが、このようなものには限定されない。
【００４１】
カード６０は、樹脂などにより板状に形成されており、接極子２１の差込片２１ａを嵌入するために左端側に開設された差込孔６１と、可動バネ４１の差込片４１ａと分流板４４の差込片４４ａとを重ねた状態で嵌入するために右端側に開設された差込孔６２と、左右方向に伸びるスライド用ガイド孔６３とを有している。なお、可動バネ４１と分流板４４の差込孔６１への嵌入は遊嵌であってもよく、遊嵌の場合には、図３、４に示すように、可動バネ４１の切換え往復動作によって外れないように、カード６０の差込孔６２よりも上方に突出させた構造とすることが望ましい。
【００４２】
ボディ５０は、樹脂により箱体に形成され、電磁石ブロックＡ、接極子ブロックＢ、カード６０、固定接点ブロックＣおよび可動接点バネブロックＤを収納固定し、その内方には、各ブロック、各部材を仕切る複数の障壁５１および各部材を嵌入して固定するための複数の溝（不図示）が形成されている。この障壁５１のうち可動接点バネブロックＤと接極子ブロックＢとを仕切る障壁５１の上端には差込突片５２が形成され、この差込突片５２をカード６０のスライド用ガイド孔６３に挿入しておくことで、カード６０の左右のスライド移動がガイドされる。
【００４３】
次に、電磁リレーの動作を説明する。
【００４４】
継鉄１１の下端部１１ａがＳ極となるような方向に電流を流してコイルが励磁されると、閉磁路をなすよう、接極子２１の下端部２１ｄは、磁極部となった継鉄１１の下端部１１ａに吸引されて、接極子２１の支点突部を回動支点として、図３において接極子２１が時計回りに回動する。その結果、接極子２１の上端の差込片２１ａを一端側に連結させたカード６０が、可動バネ４１の方向に向かってスライド移動し、カード６０の他端に連結された可動バネ４１が、固定端子板３１へ向かって移動して、可動バネ４１の可動接点４２が固定端子板３１の固定接点３２に接触し、図４の状態となる。
【００４５】
コイルの励磁を停止すると、継鉄１１の両端部１１ａは磁極部を形成しなくなるため、下端部１１ａの接極子２１に対する磁気吸引力はなくなるが、ヒンジバネ２４と永久磁石２２の作用により、接極子２１の下端部２１ｄが継鉄１１の下端部１１ａに当接した図４の状態を保持する。
【００４６】
この状態で、上述した方向とは逆方向へ電流を流してコイルが励磁されると、閉磁路をなすよう、接極子２１の上端部２１ｃは、Ｓ極となった継鉄１１の上端部１１ａに吸引されて、接極子２１の支点突部を回動支点として、図４において接極子２１が反時計回りに回動する。その結果、接極子２１の差込片２１ａを連結させたカード６０が可動バネ４１から遠ざかる方向に向かってスライド移動し、カード６０の他端に連結された可動バネ４１が、固定端子板３１から離れるように移動して、可動バネ４１の可動接点４２が固定端子板３１の固定接点３２から開離し、図３の状態となる。
【００４７】
コイルの励磁を停止すると、継鉄１１の両端部１１ａは磁極部を形成しなくなるため、上端部１１ａの接極子２１に対する磁気吸引力がなくなるが、永久磁石２２の作用により、接極子２１の上端部２１ｃが継鉄１１の上端部１１ａに当接した図３の状態を保持する。
【００４８】
このような接点開離動作において、図３、４に示すように可動バネ４１は弾性変形しながら移動し、コイル電流を停止したときも、永久磁石２２の磁気吸引力が、可動バネ４１の弾性復帰力とヒンジバネ２４の折曲片２４ｃの弾性復帰力の合体された力に勝って、可動バネ４１は付勢された状態で保持される一方、方向を反転して電流を流したときには、可動バネ４１とヒンジバネ２４の弾性復帰力が、接極子２１の反転動作の負担を軽減するように作用するため、スムースに反転動作がなされる。
【００４９】
その後、可動バネ４１がニュートラル状態を経て固定接点３２に接触する動作過程においては、カード６０のスライド移動に反発するような可動バネ４１の弾性復帰力が作用し、かつ固定端子板がわずかに弾性変形するため、スムースな接点接触が実現できる。
【００５０】
このように、電磁石の磁気吸引作用と、ヒンジバネ２４と永久磁石２２とによる接極子吸着保持作用と、可動バネ４１の弾性作用とを調節して相互に協働させることで、接極子２１の２極間の反転回動および回動停止保持を確実に行わせている。
【００５１】
また、この電磁リレーは、可動端子板４３より延長された感度調整支持片４３ａと、可動バネ４１の一部を加工して形成された感度調整小片４１ｂとより構成された感度調整手段４７を備えることで、開離状態から接触状態へ移行するための動作感度を容易に調整できるようにしている。
【００５２】
すなわち、可動端子板４３の一部で構成されている感度調整支持片４３ａは、可動接点４２が固定接点３２に接触しているときは、可動バネ４１から離れた状態となるよう調節されており、可動接点４２が固定接点３２より開離して、可動バネ４１がいったん弾性復帰し、さらに弾性変形し撓んでいくと、可動バネ４１とともに弾性変形した感度調整小片４１ｂと当接して、可動バネ４１を左方より支持して、可動バネ４１の動作を停止させる。つまり、感度調整支持片４３ａ、感度調整小片４１ｂの一方または両方をあらかじめ塑性変形させて両者間の距離を調整しておくことで、接点の接離のストローク量を調節することができ、それによって感度が調整される。
【００５３】
また、感度調整小片４１ｂは、薄板であるため塑性変形させやすく感度の微調整用として使用できるが、そのような小片を設けず、感度調整支持片４３ａだけで調整できるようにしてもよい。
【００５４】
以上のような接点の接離動作において、可動バネ４１と分流板４４とは、可動接点４２のカシメ部４５近傍ではカシメ接合により密接状態に重合され、かつ、上端部では両方の差込片４１ａ、４４ａが重合された状態でカード６０に設けた差込孔６２に差し込まれてカード６０に連結されているため、分流板４４の湾曲部４４ｃよりも上方では、可動バネが切換え往復移動の途中であっても、また可動バネが停止した状態であっても、可動バネ４１と分流板４４とは密接状態を保持できる。
【００５５】
したがって、可動バネ４１と分流板４４とは密接状態を保持することによって隙間は形成されず、電流の流れを妨げるような抵抗は付加されない。そのため、接点の開閉、特に可動接点４２が固定接点３２より開離しアーク電流が発生する瞬間には、電流は可動バネ４１と分流板４４とにスムースに分かれて流れ、そのため温度上昇は抑制され、その結果、電磁リレーを長持ちさせることができる。また、たとえ可動バネ４１の可動接点４２のカシメ部４５近傍がアーク電流によって発熱しても、可動バネ４１に隙間なく密着させた分流板４４にその熱を逃がして、十分に放熱させることができる。
【００５６】
また分流板４４は、その湾曲部４４ｃにより放熱面積を大きくして冷却効果を高めている。なお、このような湾曲部４４ｃを設けずに、全体的に可動バネ４１に密着させても放熱効果は期待できるが、可動バネ４１と分流板４４とが一体となったときの弾性力（弾性率）と、分流板４４の密接付加による放熱効果とのバランスを考慮すれば、このような湾曲部４４ｃを設けて調整を図ることが望ましい。
【００５７】
また、可動バネ４１と分流板４４とは、密着性を考慮すれば、カシメ部４５より上方を全体的に固着、接着してもよいが、弾性力と放熱効果とのバランス調整をしやすくするために、カード６０との連結箇所では分離させておくことが望ましい。したがって、カード６０の差込孔６２における連結においても、差込孔６２に若干のクリアランスを設けることが望ましい。また、クリアランスを設けることで、取り付け、取り外しもしやすくなる。
【００５８】
図５は、可動バネ４１、分流板４４を差し込むための差込孔６２を詳細に説明するためのカード６０の概略部分正面図である。
【００５９】
カード６０には、図５に示すように、可動バネ４１、分流板４４の各差込片４１ａ、４４ａを嵌入するための差込孔６２が形成されている。この差込孔６２は、それぞれの差込片４１ａ、４４ａの幅寸法に応じたバネ用開口６２ａと分流板用開口６２ｂとが連続して形成されており、可動バネ４１の厚み方向において、若干量のクリアランスＧが形成されている。
【００６０】
本図例の電磁リレーでは、接点を閉じるとき、可動接点４２が固定接点３２に接触し作動する位置（ストローク）が定められ、カード６０の移動量がそれよりも大きくなるよう調整され、可動接点４２がストローク位置からさらに移動しようとすると、固定端子板３１が若干の弾性変形により移動して、ストローク位置からさらに移動したオーバートラベル位置で可動バネが停止するように設計されている。可動バネ４１は、このストローク位置からオーバートラベル位置まで移動する間に、さらに弾性変形して、図５に示すように、分流板４４の差込片４４ａとの間にはクリアランス量Ｇを上限とするわずかな開口（隙間）Ｓが形成される。
【００６１】
しかし、その隙間Ｓの寸法は、差込孔６２のクリアランス量Ｇを上限とするので、クリアランス量Ｇをオーバートラベル量よりも小さくなるように設計することで、接点間が開離する瞬間には、可動バネ４１と分流板４４とを密接した状態に戻すことができ、その結果、想定された量の電流を確実に分流板４４に流すことができる。
【００６２】
なお、接点が開離する際には、可動バネ４１が復帰方向Ｙへの弾性復帰が差込孔６２の両肩部６２ａで規制される構造であるが、可動バネ４１の復帰動作と同時にカード６０も、接極子２１（図１参照）の反転動作によって復帰方向Ｙへスライド移動する構成であるため、それら２つの復帰力をあらかじめ調整して設計しておけば、可動バネ４１の復帰が差込孔６２の両肩部６２ｃで規制されることなく、可動バネ４１と分流板４４とを密接させることができる。
【００６３】
また、可動バネ４１の差込片４１ａが、分流板４４の差込片４４ａよりも幅広に形成されているため、接点同士が接触したときには、可動バネ４１は両肩部６２ａに支持されて幅方向にもわずかに撓んで両端部が持ち上がるが、中央部は沈んだ状態にあるため分流板４４との間にできる隙間を少なくすることができる。
【００６４】
ついで、本発明の第２の実施形態について説明する。
【００６５】
図６は、第２実施形態に係る電磁リレーに使用される可動接点バネブロックの部分正面図である。
【００６６】
本例で使用される可動接点バネブロックＤは、可動端子板４３を延長させて形成させた感度調整支持片４３ａの形状が第１実施形態のものとは異なり、感度調整支持片４３ａの下端がカシメ部４５の方向により近づいて、可動バネ４１との間に分流板４４挟み込むような構造となっている。なお、第１実施形態と同一の構成については、同一の符号を付して説明は省略する。
【００６７】
このような構造によれば、接点が開離して、感度調整支持片４３ａが可動バネ４１を支持する状態では、分流板４４を押さえ付けることでカシメ部４５近傍からの熱を感度調整支持片４３ａに伝達させて、放熱させることができる。また、接点の開離保持状態では、感度調整支持片４３ａが分流板４４を押し付けて可動バネ４１との間に挟み込んだ状態が維持されるため、分流板４４の可動バネ４１への密接状態が保持できる。
【００６８】
なお、このような構造のものは、感度調整小片４１ｂを固定接点３２側に塑性変形させておくと、感度調整支持片４３ａが分流板４４と当接するため感度調整小片４１ｂは感度調整支持片４３ａには当接し得ず、反対に感度調整小片４１ｂを固定接点３２から遠ざかる方向に塑性変形させておくと、感度調整支持片４３ａは分流板４４には当接し得ないおそれがあるため、可動バネ４１には感度調整小片４１ｂを形成しない構造としてもよい。
【００６９】
さらに、本発明の第３の実施形態について説明する。
【００７０】
図７は、第３実施形態に係る電磁リレーに使用される可動接点バネブロックの斜視図である。
【００７１】
本例で使用される可動接点バネブロックＤは、可動バネ４１、分流板４４とともに、可動接点４２によってカシメ接合される金属製の補強板４６を、第１実施形態の電磁リレーの構造にさらに付加した構造としている。この補強板４６は、図７に示すように、分流板４４のカシメ部４５を中心に重合、接合されている。なお、第１実施形態と同一の構成については、同一の符号を付して説明は省略する。
【００７２】
このような構造によれば、補強板４６をさらに重ねて接合することで、カシメ強度が向上するとともに、カシメ部４５では補強板４６と接合させることでカシメ部４５の接触面積が増加するため、放熱効果はさらに増加し、電磁リレーの寿命が延びる。
【００７３】
また、本実施形態において、第２の実施形態に示したような感度調整支持片４３ａを設けてもよい。すなわち、感度調整支持片４３ａは、その下端がカシメ部４５の方向により近づいて、可動バネ４１との間に補強板４６と分流板４４とを挟み込むような構造となっている。
【００７４】
さらに、本発明の第４の実施形態について説明する。本実施形態は、固定接点ブロックＣの構成が上記第１〜３の実施形態と異なる。
【００７５】
図８は、本発明の第４実施形態に係る電磁リレーに使用される固定接点ブロックＣの斜視図である。
【００７６】
本例で使用される固定接点ブロックＣは、第１〜３の実施形態とは異なり、固定接点３２が、固定端子板３１に接合された固定バネ３３にカシメ接合されている。つまり、この固定接点ブロックＣは可動接点バネブロックＤと同様に、固定接点バネブロックを構成している。
【００７７】
この固定接点バネブロックＣは、導電性金属板を屈曲してなる固定端子板３１と、この固定端子板３１の一端でリベットにてカシメ接合される導電性金属製の固定バネ３３と、この固定バネ３３の、可動接点４２（第１実施形態の一例である図３参照）に対向する位置にカシメ接合して取着される金属製の固定接点３２と、この固定バネ３３とともに固定接点３２にカシメ接合されて固定バネ３３の裏側（接点とは反対側）に密接重合される導電性金属製の固定側補強板３４とにより構成されている。なお、第１実施形態と同一の構成については、同一の符号を付して説明は省略する。また、この固定接点バネブロックＣは、上記第１〜３の実施形態のいずれにも適用が可能である。
【００７８】
また、この固定接点バネブロックＣは、固定バネ３３を使用することで、可動接点４２が固定接点４２に接触したときには、固定バネ３３が弾性変形して撓む構成となっており、そのような弾性変形をさせるために、固定側補強板３４は、固定端子板３１とは連結されず、固定バネ３３のカシメ部３５を中心とした接点近傍に対してのみ重合、固着されている。
【００７９】
このような構成によれば、固定接点３２のカシメ接合により、固定端子板３１に接合された固定バネ３３と、固定バネ３３に重合させた固定側補強板３４とを密着させる構造であるため、固定バネ３３に対する固定接点３２のカシメ接合を補強できるとともに、カシメ部３５との接触面積が増加するため、放熱効果を向上させることができる。なお、固定バネ３３のみに固定接点３２を接合する構成であれば、固定バネ３３が薄いため、第１〜３の実施形態に使用した固定接点ブロックと比較するとカシメ接合強度、放熱効果ともに劣るが、補強板３４を付加することで、カシメ接合強度、放熱効果ともに第１〜３の実施形態と同等の効果を期待できる。
【００８０】
また、固定接点３２は固定バネ３３に固着されているため、可動接点４２との接触時には固定バネ３３は弾性変形し、そのため接触した後に接触ポイントが移動するため、接点同士が開離する際には、その移動量分、溶着を引き剥がす力が増加する。その結果、電磁リレーの電気寿命を延ばすことができる。
【００８１】
以上の実施形態では、永久磁石２２を使用し、正、逆流の電流を流して反転動作をさせる有極リレーを例示したが、極の指定がない無極リレーにも適用できる。無極リレーとしては、たとえばＬ字形の接極子を使用し、コイルの励磁により接極子を回動させ、カードを介して可動バネを弾性変形させて接点を閉じ、消磁により接極子を復帰回動させて、可動バネを弾性復帰させて接点を開くものがある。
【図面の簡単な説明】
【００８２】
【図１】本発明の第１実施形態に係る電磁リレーの斜視図である。
【図２】同電磁リレーに使用される可動バネブロック（可動バネと分流板と可動端子板の結合体）の斜視図である。
【図３】同電磁リレーの接点開離状態を示した正面図である。
【図４】同電磁リレーの接点接触状態を示した正面図である。
【図５】可動バネと分流板とを連結状態を示したカードの概略部分正面図である。
【図６】本発明の第２実施形態に係る電磁リレーに使用される可動接点バネブロックの正面図である。
【図７】本発明の第３実施形態に係る電磁リレーに使用される可動接点バネブロックの斜視図である。
【図８】本発明の第４実施形態に係る電磁リレーに使用される固定接点ブロックの斜視図である。
【図９】（ａ）、（ｂ）は従来の電磁リレーにおける問題点を示した図である。
【符号の説明】
【００８３】
Ａ      電磁石ブロック
１１      継鉄
１３      コイル部
Ｂ      接極子ブロック
２１      接極子
２２      永久磁石
２３      補助継鉄
２４      ヒンジバネ
Ｃ      固定接点ブロック
３１      固定端子板
３２      固定接点
３３      固定バネ（第４実施形態）
３４      固定側補強板（第４実施形態）
３５      カシメ部（第４実施形態）
Ｄ      可動接点バネブロック
４１      可動バネ
４１ａ      差込片
４１ｂ      感度調整小片
４１ｃ      スリット切除部
４２      可動接点
４３      可動端子板
４３ａ      感度調整支持片
４３ｂ      アーム部
４４      分流板
４４ａ      差込片
４４ｂ      重合部
４４ｃ      湾曲部
４４ｄ      固定部
４５      カシメ部
４６      補強板（第３実施形態）
５０      ボディ
６０      カード
６１      接極子用差込孔
６２      可動バネ・分流板用差込孔
【図１】
0004586849.tif 000002
【図２】
0004586849.tif 000003
【図３】
0004586849.tif 000004
【図４】
0004586849.tif 000005
【図５】
0004586849.tif 000006
【図６】
0004586849.tif 000007
【図７】
0004586849.tif 000008
【図８】
0004586849.tif 000009
【図９】
0004586849.tif 000010